(57)【要約】【課題】品質ならびに信頼性を損なうことなくより高い生産性を達成することができる無線綴じ機を提供する。【解決手段】周回軌道（１８）上で前後して連動して駆動され緩い中本（１０）に丁合されたあるいはまだ綴じ付けられていない印刷物を収容するための締付け装置（２）と、丁合された印刷物の搬入ステーション（３）と綴じ付けられた印刷製品の搬出ステーション（４）との間に周回軌道（１８）に沿って配置された複数の加工ステーション（５−８）とを備え、締付けられた中本（１０）は締付け装置（２）から離れて存在している印刷製品の背を形成する紙片が加工ステーション（５−８）を指向するように構成された、印刷物を無線綴じして中本（１０）、書籍またはカタログ等の印刷製品を製造する装置（１）に係り、１つの締付け装置（２）が複数の中本（１０）を収容するように構成する。【選択図】図１
2006130923.tif 000002
【特許請求の範囲】
【請求項１】
周回軌道（１８）上で前後して連動して駆動され緩い中本（１０）に丁合されたあるいはまだ綴じ付けられていない印刷物を収容するための締付け装置（２）と、丁合された印刷物の搬入ステーション（３）と綴じ付けられた印刷製品の搬出ステーション（４）との間に周回軌道（１８）に沿って配置された複数の加工ステーション（５−８）とを備え、締付けられた中本（１０）は締付け装置（２）から離れて存在している印刷製品の背を形成する紙片が加工ステーション（５−８）を指向するように構成された、印刷物を無線綴じして中本（１０）、書籍またはカタログ等の印刷製品を製造する装置（１）であり、１つの締付け装置（２）が複数の中本（１０）を収容するように構成することを特徴とする装置。
【請求項２】
周回方向（Ｆ）に整列している中本（１０）あるいは印刷製品を収容するための締付け装置（２）を備える請求項１記載の装置。
【請求項３】
締付け装置（２）はそれぞれ１つの中本（１０）を収容することができる少なくとも２つのプライア（１５，１６）を備えることを特徴とする請求項１または２記載の装置。
【請求項４】
締付け装置（２）の周回軌道（１８）は水平面あるいは垂直面内に延在することを特徴とする請求項１ないし３のいずれかに記載の装置。
【請求項５】
１つの締付け装置（２）の２つのプライア（１５，１６）が周回方向（Ｆ）内で隣接して配置されることを特徴とする請求項１ないし４のいずれかに記載の装置。
【請求項６】
複数の締付け装置（２）のプライア列に対して１つの搬入路（１４）が設けられ、これが周回軌道（１８）の直線部に接続することを特徴とする請求項１ないし５のいずれかに記載の装置。
【請求項７】
１つの締付け装置（２）のプライア（１５，１６）がこのプライア（１５，１６）を開閉するための共通の付勢装置（２３）に結合されていることを特徴とする請求項１ないし６のいずれかに記載の装置。
【請求項８】
付勢装置（２３）は機械式、液圧式、および／または電気式駆動手段（３９）と制御可能に結合することを特徴とする請求項７記載の装置。
【請求項９】
１つの締付け装置（２）のプライア（１５，１６）は共通のカウンタホルダ（２１）を備えることができ、これに対して周回方向（Ｆ）に対して垂直に可動である締付け要素（２２）を設けることを特徴とする請求項１ないし８のいずれかに記載の装置。
【請求項１０】
締付け要素（２２）はプライア（１５，１６）の周回方向（Ｆ）に対して平行に配置された軸（２４）周りで回転可能に構成することを特徴とする請求項９記載の装置。
【請求項１１】
締付け要素（２２）はプライア（１５，１６）の周回方向（Ｆ）に対して垂直に摺動可能に構成することを特徴とする請求項９記載の装置。
【請求項１２】
カウンタホルダ（２１）は周回方向（Ｆ）に対して横断方向にヨーク形状の断面を有することを特徴とする請求項９ないし１１のいずれかに記載の装置。
【請求項１３】
プライア（１５，１６）のカウンタホルダ（２１）は周回方向（Ｆ）に対して平行に配置された軸（２４）周りで回転可能に構成することを特徴とする請求項１２記載の装置。
【請求項１４】
プライア（１５，１６）は周回方向（Ｆ）に対して平行に配置された共通の軸（２４）周りで回転可能であることを特徴とする請求項３ないし１３のいずれかに記載の装置。
【請求項１５】
共通の軸（２４）はカウンタホルダ（２１）と締付け要素（２２）とから構成されるプライア（１５，１６）の回転軸として形成されることを特徴とする請求項１４記載の装置。
【請求項１６】
プライア（１５，１６）のカウンタホルダ（２１）はいずれも締付け装置（２）の外側面上に配置することを特徴とする請求項１３ないし１５のいずれかに記載の装置。
【請求項１７】
周回方向（Ｆ）に対して平行な各プライア（１５，１６）の複数の軸（２４）を互いに離間して配置することを特徴とする請求項１３記載の装置。
【請求項１８】
１つの締付け装置（２）のプライア（１５，１６）は周回方向（Ｆ）について対称に配分して周回軌道（１８）に対して横断方向に配置することを特徴とする請求項１ないし１７のいずれかに記載の装置。
【発明の詳細な説明】
【技術分野】
【０００１】
この発明は、周回軌道上で前後して連動して駆動され緩い中本に丁合されたあるいはまだ綴じ付けられていない印刷物を収容するための締付け装置と、丁合された印刷物の搬入ステーションと綴じ付けられた印刷製品の搬出ステーションとの間に周回軌道に沿って配置された複数の加工ステーションとを備え、締付けられた中本は締付け装置から解放されて存在している印刷製品の背を形成する紙片が加工ステーションを指向している、印刷物を無線綴じして中本、書籍またはカタログ等の印刷製品を製造する装置に関する。
【背景技術】
【０００２】
冒頭に述べた種類の装置は無線綴じ機とも呼ばれ、これには通常丁合機が前置されており、その中で特に折り目付けられた印刷物が上下に重ねられて緩い中本に丁合され、続いて背を下にして起立させ無線綴じ機に搬入される。このため、印刷物は推進方向に対して縦（スイス国特許第５０４９７７号明細書）あるいは横（欧州特許第０７１２７３６号明細書）に延在するように集積あるいは丁合することができる。
【０００３】
個々の綴付けられていない中本は、例えば斜めのレール上で移送部から周回軌道上で前後に連なって駆動されている締付け装置上に搬入され、この際周回軌道に沿って配置された無線綴じ機の加工ステーションに対して約１０ｍｍの紙片をもって加工のために指向するようにされる。
【０００４】
無線綴じ機内における背の加工は、高い動力需要のため高精度の背加工ならびに高い信頼性を可能にするために比較的大重量の無線綴じ機の構造を必要とする。
【０００５】
牽引要素が取り付けられた締付け装置の周回軌道は楕円形あるいは円形に形成され、締付け装置はいずれもプライアによって構成され、その中において未だ綴付けられていない前方に紙片を有する中本がその背長全体にわたって締付けられる。このプライアはいずれも２つのプライア部品から構成され、そのうち少なくとも一方が他方と共に作用するように可動式となっている。締付け装置の実施例はスイス国特許第６６７２３８号明細書およびスイス国特許第５０４９７７号明細書によって開示されている。
【０００６】
無線綴じ機の処理速度は、機械サイクルまたは物理法則に従ったものとなる。そのため、推進方向に対して横断して配置され縦方向に延在する中本よりも短い間隔で使用される締付け装置が、その加工が極めて大きな機械コストを要するにもかかわらず無線綴じ機内で稼動している。
【０００７】
【特許文献１】スイス国特許第５０４９７７号明細書
【特許文献２】欧州特許第０７１２７３６号明細書
【特許文献３】スイス国特許第６６７２３８号明細書
【特許文献４】スイス国特許第５０４９７７号明細書
【発明の開示】
【発明が解決しようとする課題】
【０００８】
従って、本発明の目的は、品質ならびに信頼性を損なうことなくより高い生産性を達成することができる、冒頭に述べた種類の装置を提供することである。
【課題を解決するための手段】
【０００９】
前記の課題は、本発明に従って、１つの締付け装置を複数の中本を収容するように構成することによって解決される。すなわち、緩く丁合された複数の中本が複数の搬送路上で１つの締付け装置に搬入され、従って生産性が向上あるいは少なくとも倍増し、および／または生産性を低下することなく品質ならびに信頼性を向上することができる。
【００１０】
締付け装置はそれぞれ１つの中本を収容することができる少なくとも２つのプライアを備えることが好適である。
【００１１】
締付け装置の周回軌道は水平面あるいは垂直面内に延在することができ、それによって装置を所与の空間的制約に適応させることができる。
【００１２】
１つの締付け装置の２つのプライアが周回方向に沿って隣接して配置されることが好適であり、これらは本発明装置の利点を補足するものである。
【００１３】
中本を移送するために周回軌道の直線部分に接続している搬入路を設け、それによって無線綴じ機への簡便な給入が可能となる。
【００１４】
１つの締付け装置の２つのプライアが同時に操作可能であることが好適であり、それによって中本を収容および排出するための付勢手段の構成を単純化することができる。
【００１５】
付勢装置は機械式、液圧式、および／または電気式駆動手段と制御可能に結合することができる。その構成例は既知のものである。
【００１６】
１つの締付け装置のプライアは共通のカウンタホルダを備えることができ、その上で中本が作業位置に設置され、これに対していずれも周回方向に対して垂直に可動である締付け要素が設けられている。
【００１７】
この締付け要素は締付け装置の周回方向に対して平行に配置された軸周りで回転可能または周回方向に対して垂直に摺動可能に構成することができる。
【００１８】
カウンタホルダは周回方向に対して横断方向にヨーク形状の断面を有することが好適であり、それによって良好な安定性がもたらされる。
【００１９】
無線綴じ機の加工路上において締付け装置を効率的に使用するために、カウンタホルダは周回方向に平行に配置された軸周りで回転可能に構成することが好適である。
【００２０】
プライアが周回方向に対して平行に配置された共通の軸周りで回転可能にすれば、簡便な構成を達成することができる。
【００２１】
さらに、共通の軸がカウンタホルダと締付け要素の回転軸として形成されるプライアが好適である。
【００２２】
他方、プライアのカウンタホルダはいずれも締付け装置の外側面上に配置することができる。
【００２３】
周回方向に対して平行な各プライアの軸は互いに側方に離間して配置することができ、それによってより大きな可動性を達成することができる。
【００２４】
１つの締付け装置のプライアは周回方向について対称に配分して周回軌道に対して横断方向に配置することが好適であり、それによって１つの好適な構成を達成することができる。
【発明を実施するための最良の形態】
【００２５】
次に、添付図面ならびに複数の実施例を参照しながら本発明を説明するが、図中に説明中に記述されていない構成部分も記載されている。
【００２６】
図１には、特に折り目付けられた印刷紙からなり無線綴じされた背を備えている、書籍、中本、カタログ等の印刷製品を製造するための無線綴じ機１が示されている。さらに、図１には、並んで締付けられている２つの中本１０のための、周回軌道上を矢印Ｆの方向に推進される多数の締付け装置２が示されており、中本は、搬入ステーション３上で収容され無線綴じ機１の搬出ステーション４上で搬出され、その間に加工ステーションを通過する。これに関して、図１には２つの背加工ステーション５，６が示されており、その上で締付け装置２に収容されて通過する中本の中本背部が切削加工あるいは後処理され、また加工された中本背部に糊付けするための糊付け加工部７ならびに中本背部の側方縁部を糊付けするための別の糊付け加工部８が設けられている。その後中本１０は表紙フィーダステーション９を通過し、そこで中本背部に表紙１１が給紙され、これは続く圧接ステーション１２において中本１０の背部および側方縁部に圧接される。図１に示された締付け装置２は、先に丁合機（図示されていない）内で丁合され緩い状態で無線綴じ機１の搬入ステーション３に移送された２つの中本１０を収容するよう構成されている。緩い中本１０の締付け装置２への搬入は２つの平行する搬入路１３，１４上で実施され、搬入路１３，１４の末端で隣接して配置されている締付け装置２の２つのプライア１５，１６によって下から上へと行われる。勿論、プライア１５，１６への中本１０の搬入は図１に示されたものと違う方向で行うことも可能である。さらに、図１には締付け装置２の軌道が水平面内に示されており、中本１０上の異なった加工工程が図示されている。完成した書籍１７は、搬出ステーション４上においてペアで無線綴じ機１から傾斜したレール部上へ搬出される。無線綴じ機１は楕円形の周回軌道１８を備えており、これは図１３に示されているようにガイドリンク１９によって形成され、その中において互いに連結された締付け装置２が牽引手段２０によって推進される。
【００２７】
図２においても締付け装置２は楕円軌道を移動するが、これは垂直面内に構成されている。
【００２８】
搬入ステーション３と搬出ステーション４が牽引手段２０のベルトの末端で互いに上下に並んでいる図３の構成と異なって、搬入ステーション３と搬出ステーション４が中本１０を加工するために設けられた牽引手段２０のベルト３４の両端に配置されている。
【００２９】
図４には、３つの締付け装置２からなる装置１の一部が示されている。これらは、ヨーク形状の断面を有するカウンタホルダ２１を備え、それと共にプライア１５，１６を構成する締付け要素２２がその両側に設けられている。プライア１５，１６の開閉は接続されている付勢手段２３によって行われる。図示されている締付け装置２は、図４には図示されていない周回している牽引要素２０と結合されたアダプタ２４上に搬送方向Ｆと平行な軸周りで回転可能に取り付けられている。締付け装置２の側方旋回動作は特に中本の背部加工、糊付けおよび／または中本背部への表紙付けに際して必要とされ、このため中本１０は略垂直の姿勢をとる。
【００３０】
このような状態が図５および図６に示されており、中本背部への表紙１１の接着が示されている。１つの締付け装置２内に並んで配置された２つの中本１０への表紙１１の接着は、前後あるいは左右に隣接して配置された２つの糊付け加工部７によって行われ、ここで図５および図６に示されているように、表紙１１を接着するためにまず１つの中本１０、続いて他方の中本１０が垂直状態に移動され、それによって障害無く接着工程を実施することができる。
【００３１】
下方に向かって突出しているカウンタホルダ２１の両方の脚部は、中本１０が加工のために配置された後に、鋭角を形成するとともにストッパを備えている。付勢手段２３は、締付け装置２に付属しているプライア１５，１６を同時に開閉することができる。
【００３２】
図７および図８には、同様に搬送方向Ｆに平行な軸周りで回転可能である締付け装置２の別の実施例が示されている。図７には、締付け装置２が開放された状態でプライア１５，１６内に締付けられた中本１０と共に示されている。締付け装置２ならびにそれに付属するプライア１５，１６の双方が締付け装置２の回転あるいはプライア１５，１６の開閉のために共通の軸２４を使用する。
【００３３】
図８には中本背部の加工および／または糊付けのために設定された状態で締付け装置２が示されている。
【００３４】
図９には、プライア１５，１６が搬送方向Ｆに平行に延在する互いに離間した支持部材２７の回転軸２５，２６上に配置されている、締付け装置２が示されている。
【００３５】
図１０には、回転軸２５，２６に対して平行に配置された回転軸受け２８を備えた図９に図示されている締付け装置２が示されている。この構成形態によって、図１１に示されているように１つの締付け装置２内に収容された２つの中本１０に障害無く表紙１１を接着することが可能になる。
【００３６】
図１２には、牽引手段２０として形成された搬送ベルト上に固定され図７および図８の形式に加えて追加的な回転軸受け２８を備えた３つの締付け装置２が示されている。回転軸受け２８は搬送方向Ｆ内に存在する両端部上に対で配置された滑走ローラ２９を備えており、これらはガイドリンク１９内を誘導され、回転軸受けは滑走台車３０として形成されている。滑走台車３０または締付け装置２と牽引手段２０との結合は、牽引手段２０を滑走台車３０と結合するアダプタ３１によって行われる。図１３には図１２の締付け装置２が側面から示されている。
【００３７】
図１４には、無線綴じ機内の中本１０の加工路上の左から右へ連続している、３つの別の方式の締付け装置２が示されており、ここで第１の締付け装置において締付け装置２の２つのプライア１５，１６内に締付けられた２つの背部加工および背部糊付けされる中本１０が示されている。次の締付け装置においては締付け装置２のプライア１５，１６が例えば中本背部の側方縁部を糊付けするために側方に移動して離間しており、最後の締付け装置は例えば表紙を受容あるいは障害無く接着するための状態とすることができる。前述した締付け装置２のプライア１５，１６と比べて、カウンタホルダ２１が搬送方向に対して横断方向に水平に延在するバー３２，３３上に摺動可能に取り付けられた板材である。締付け要素２２も付勢要素２３によって摺動可能に取り付けることができる。このため、ボールライニングを使用することが好適である。バー３２，３３の端部にはローラ支承３４が取り付けられており、これはガイドリンク内を走行する。プライア１５，１６のカウンタホルダ２１は単純な板材として形成され、図示されていない制御手段によってバー３２，３３に沿って摺動可能である。
【００３８】
図１５には、プライア１５，１６を開閉するための考えられる付勢装置２３の構成が示されている。中本１０が締付けられている可動状態において、プライア１５，１６はレバー３６に作用するバネ３７によって閉じられている。締付け装置２の前進によって、プライア１５、１６は、固定式の制御レール４０の領域で締付け装置２上に設けられた制御ローラ３８の制御レール４０への当接によってレバー３６の作用で開放される。
【図面の簡単な説明】
【００３９】
【図１】本発明に係る装置を備えた無線綴じ機の水平面上の構成を示した立体図である。
【図２】本発明に係る装置の垂直面上の構成を示した立体図である。
【図３】本発明に係る装置の別の構成を示した立体図である。
【図４】回転可能な締付け装置を備えた本発明に係る装置を部分的に示した立体図である。
【図５】表紙フィーダの領域内の締付け装置を示した側面図である。
【図６】後続している第２の表紙フィーダの領域内における図５の締付け装置を示した側面図である。
【図７】締付け装置の一実施例を示した立体図である。
【図８】図７に示された締付け装置の加工位置における状態を示した立体図である。
【図９】締付け装置の別の実施例を示した立体図である。
【図１０】締付け装置の一実施例を示した立体図である。
【図１１】表紙フィーダの領域内の図１０に示された締付け装置を示した側面図である。
【図１２】本発明に係る装置を部分的に示した立体図である。
【図１３】図１２に示された実施例の側面図である。
【図１４】本発明に係る装置の別の実施例を部分的に示した立体図である。
【図１５】付勢装置を備えた図１２に示された装置を部分的に示した立体図である。
【符号の説明】
【００４０】
１  無線綴じ機
２  締付け装置
３  搬入ステーション
４  搬出ステーション
５，６  加工ステーション
７，８  糊付け加工部
９  表紙フィーダステーション
１０  中本
１１  表紙
１２  圧接ステーション
１３，１４  搬入路
１５，１６  プライア
１７  書籍
１８  周回軌道
１９  ガイドリンク
２０  牽引手段
２１  カウンタホルダ
２２  締付け要素
２３  付勢手段
２４，２５，２６  回転軸
２７  支持部材
２８  回転軸受け
２９  滑走ローラ
３０  滑走台車
３１  アダプタ
３２，３３  バー
３４  ベルト
３６  レバー
３７  バネ
３８  制御ローラ
４０  制御レール
【図１】
2006130923.tif 000003
【図２】
2006130923.tif 000004
【図３】
2006130923.tif 000005
【図４】
2006130923.tif 000006
【図５】
2006130923.tif 000007
【図６】
2006130923.tif 000008
【図７】
2006130923.tif 000009
【図８】
2006130923.tif 000010
【図９】
2006130923.tif 000011
【図１０】
2006130923.tif 000012
【図１１】
2006130923.tif 000013
【図１２】
2006130923.tif 000014
【図１３】
2006130923.tif 000015
【図１４】
2006130923.tif 000016
【図１５】
2006130923.tif 000017